(57)【要約】  オス部材（１０）に対向するアーム（２０）に、オス部材（１０）に向かって突出した爪（３０）が設けられている。アダプタ（１）は、オス部材をメスコネクタに挿入し且つ爪をメスコネクタに係合した状態でメスコネクタに接続することができる。アームは、爪がオス部材から離間するように弾性的に変形可能である。爪は、アダプタをメスコネクタに接続する過程でメスコネクタ上を摺動する摺動部（３３ａ）を備える。摺動部は、摺動部がメスコネクタ上を摺動するとき、爪をオスコネクタから離間する向きに移動させる。オス部材を通る中心軸（１ａ）に垂直な方向に沿って見た摺動部の輪郭形状は、滑らかな凸曲線を含む。
2016152801.tif 000002
【特許請求の範囲】
【請求項１】
オス部材と、前記オス部材に対向するアームと、前記オス部材に向かって突出するように前記アームに設けられた爪とを備えたアダプタであって、
前記アダプタは、前記オス部材をメスコネクタに挿入し且つ前記爪をメスコネクタに係合した状態で前記メスコネクタに接続することができるように構成されており、
前記アームは、前記爪が前記オス部材から離間するように弾性的に変形可能であり、
前記爪は、前記アダプタをメスコネクタに接続する過程でメスコネクタ上を摺動する摺動部を備え、
前記摺動部は、前記摺動部が前記メスコネクタ上を摺動するとき、前記爪を前記オスコネクタから離間する向きに移動させるように構成されており、
前記オス部材を通る中心軸に垂直な方向に沿って見た前記摺動部の輪郭形状は、滑らかな凸曲線を含むことを特徴とするアダプタ。
【請求項２】
前記滑らかな凸曲線は、円弧又は楕円の一部である請求項１に記載のアダプタ。
【請求項３】
前記摺動部は、前記中心軸を含む面に沿ったリブ上に設けられている請求項１又は２に記載のアダプタ。
【請求項４】
前記摺動部は、前記中心軸を含む面に平行な面に沿ったリブ上に設けられている請求項１又は２に記載のアダプタ。
【請求項５】
前記オス部材は、鋭利な先端を有する穿刺針である請求項１〜４のいずれか一項に記載のアダプタ。
【請求項６】
前記メスコネクタは、バイアル瓶の栓体を含み、
前記爪は、前記バイアル瓶の口を取り囲む拡径したフランジに係合する請求項１〜５のいずれか一項に記載のアダプタ。
【発明の詳細な説明】
【技術分野】
【０００１】
本発明は、メスコネクタ（例えばバイアル瓶の栓体）に挿入可能なオス部材と、オス部材をメスコネクタに挿入したときにメスコネクタに係合可能な爪とを備えたアダプタに関する。
【背景技術】
【０００２】
粉末状の薬剤を気密に封入したバイアル瓶が広く流通している。このような薬剤を患者に投与する場合、バイアル瓶内に溶解液を注入して薬剤を溶解して薬液を得た後、当該薬液をバイアル瓶から薬液バッグに移送する。バイアル瓶に対する溶解液の注入や薬液の取り出しは、バイアル瓶の口（開口）を封止する栓体（ゴム栓）に穿刺針（「瓶針」と呼ばれることもある）を穿刺して行われる。【０００３】
バイアル瓶に収納された薬剤が、例えば抗がん剤のように劇薬に指定された薬剤である場合がある。このような危険な薬剤やその薬液が作業者の指などに付着したり、薬剤やその蒸気を作業者が吸引したりする事態は回避しなければならない。そこで、バイアル瓶の栓体に穿刺した穿刺針が栓体から意図せずに抜け出ることがないように、バイアル瓶の口を取り囲む拡径したフランジ（またはこれを覆うアルミニウムキャップ）に係合する爪が穿刺針とともに一体的に設けられたアダプタが用いられることが多い。【０００４】
このようなアダプタの一例が、特許文献１に記載されている。特許文献１のアダプタ９００では、図１２に示すように、穿刺針９１０に対向するアーム９２０の先端部分に、穿刺針９１０に向かって突出した爪９３０が設けられている。アーム９２０は、爪９３０が穿刺針９１０から離間する向き（外側）に半径方向に沿って変位するように、弾性的に曲げ変形可能である。アダプタ９００をバイアル瓶の栓体に向かって押し込むと、穿刺針９１０が栓体を穿刺し始めるのと前後して、爪９３０の摺動部９３３ａがバイアル瓶のアルミニウムキャップの端縁に当接する。穿刺針９１０が栓体内に進入するのにしたがって、摺動部９３３ａがアルミニウムキャップ上を摺動する。摺動部９３３ａは傾斜しているので、摺動部９３３ａがアルミニウムキャップ上を摺動するとき、爪９３０は穿刺針９１０から離間するように外側へ変位する。爪９３０がアルミニウムキャップを通過し終えると、アーム９２０が弾性復帰し、爪９３０がフランジに係合する。このように、アダプタ９００をバイアル瓶に向かって単に押し込むだけで、穿刺針９１０を栓体に穿刺し且つ爪９３０をフランジに係合させることができる。
【先行技術文献】
【特許文献】
【０００５】
【特許文献１】特開２０１４−７９３５５号公報
【発明の概要】
【発明が解決しようとする課題】
【０００６】
アダプタ９００をバイアル瓶に接続する過程において、アダプタ９００をバイアル瓶に向かって押し込む力は、爪９３０をアルミニウムキャップ上を摺動させながら外側へ変位させるように作用する。従来のアダプタは、爪９３０を変位させるために、非常に大きな力をアダプタ９００に加える必要があるという課題がある。特に、より大きな外径のアルミニウムキャップを有するバイアル瓶にアダプタ９００を接続しようとする場合には、爪９３０をより大きく変位させる必要があるため、アダプタ９００に更に大きな力を加える必要があり、アダプタ９００をバイアル瓶に接続することが事実上困難になることがある。このような場合に強引にアダプタ９００をバイアル瓶に向かって押し込むと、力の向きが傾くことによってアダプタ９００がバイアル瓶に対して傾き、穿刺針と穿刺針が穿刺した栓体の孔との間のわずかな隙間を介して、危険な薬剤が外界に漏れ出る事態が起こりうる。【０００７】
本発明は、上記の従来の課題を解決し、大きな力を必要とすることなくメスコネクタに接続することができるアダプタを提供することを目的とする。
【課題を解決するための手段】
【０００８】
本発明のアダプタは、オス部材と、前記オス部材に対向するアームと、前記オス部材に向かって突出するように前記アームに設けられた爪とを備える。前記アダプタは、前記オス部材をメスコネクタに挿入し且つ前記爪をメスコネクタに係合した状態で前記メスコネクタに接続することができるように構成されている。前記アームは、前記爪が前記オス部材から離間するように弾性的に変形可能である。前記爪は、前記アダプタをメスコネクタに接続する過程でメスコネクタ上を摺動する摺動部を備える。前記摺動部は、前記摺動部が前記メスコネクタ上を摺動するとき、前記爪を前記オスコネクタから離間する向きに移動させるように構成されている。前記オス部材を通る中心軸に垂直な方向に沿って見た前記摺動部の輪郭形状は、滑らかな凸曲線を含む。
【発明の効果】
【０００９】
本発明によれば、摺動部の輪郭形状が、滑らかな凸曲線を含む。これにより、アダプタに加えられる、メスコネクタに向かう力を、爪がオス部材から離間する向きに爪を移動させるのに効果的に利用することができる。このため、大きな力をアダプタに加えることなく、アダプタをメスコネクタに接続することができる。また、アダプタを接続することができるメスコネクタの径の範囲が拡大する。
【図面の簡単な説明】
【００１０】
【図１Ａ】図１Ａは、本発明の実施形態１に係るアダプタの上方から見た斜視図である。
【図１Ｂ】図１Ｂは、本発明の実施形態１に係るアダプタの下方から見た斜視図である。
【図１Ｃ】図１Ｃは、本発明の実施形態１に係るアダプタの下方から見た断面斜視図である。
【図１Ｄ】図１Ｄは、本発明の実施形態１に係るアダプタの、中心軸及び爪を含む面に沿った断面図である。
【図２】図２は、本発明に係るアダプタが接続されるバイアル瓶の断面図である。
【図３】図３は、本発明の実施形態１に係るアダプタをバイアル瓶に接続する前の状態を示した斜視図である。
【図４】図４は、本発明の実施形態１に係るアダプタをバイアル瓶に接続する途中の第１の状態を示した断面図である。
【図５】図５は、本発明の実施形態１に係るアダプタをバイアル瓶に接続する途中の第２の状態を示した断面図である。
【図６】図６は、本発明の実施形態１に係るアダプタをバイアル瓶に接続した状態を示した断面図である。
【図７】図７Ａ及び図７Ｂは、従来のアダプタをバイアル瓶に接続する過程で爪が受ける反力を示した断面図である。
【図８】図８Ａ及び図８Ｂは、本発明の実施形態１に係るアダプタをバイアル瓶に接続する過程で爪が受ける反力を示した断面図である。
【図９Ａ】図９Ａは、本発明の実施形態２に係るアダプタの上方から見た斜視図である。
【図９Ｂ】図９Ｂは、本発明の実施形態２に係るアダプタの下方から見た斜視図である。
【図９Ｃ】図９Ｃは、本発明の実施形態２に係るアダプタの側面図である。
【図９Ｄ】図９Ｄは、本発明の実施形態２に係るアダプタの下方から見た断面斜視図である。
【図１０】図１０は、本発明の実施形態２に係るアダプタをバイアル瓶に接続する前の状態を示した斜視図である。
【図１１Ａ】図１１Ａは、本発明の実施形態２に係るアダプタをバイアル瓶に接続した状態を下方から見た斜視図である。
【図１１Ｂ】図１１Ｂは、図１１Ａの断面図である。
【図１２】図１２は、従来のアダプタの下方から見た斜視図である。
【発明を実施するための形態】
【００１１】
上記の本発明のアダプタにおいて、前記滑らかな凸曲線は、円弧又は楕円の一部であってもよい。これにより、更に小さな力でアダプタをメスコネクタに接続することができる。
【００１２】
前記摺動部は、前記中心軸を含む面に沿ったリブ上に設けられうる。あるいは、前記摺動部は、前記中心軸を含む面に平行な面に沿ったリブ上に設けられうる。これにより、摺動部とメスコネクタとの間の摩擦力を小さくすることができるので、更に小さな力でアダプタをメスコネクタに接続することができる。
【００１３】
前記オス部材は、鋭利な先端を有する穿刺針でありうる。これにより、ゴム栓等の栓体で封止されたメスコネクタに接続することができるアダプタを提供することができる。
【００１４】
前記メスコネクタは、バイアル瓶の栓体を含みうる。この場合、前記爪は、前記バイアル瓶の口を取り囲む拡径したフランジに係合してもよい。これにより、バイアル瓶に接続することができるアダプタを提供することができる。また、接続することができる栓体及びフランジの径の範囲が広いアダプタを提供することができる。
【００１５】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。以下に示す図において、同一の部材には同一の符号をしており、それらについての重複する説明を省略する。
【００１６】
（実施形態１）
図１Ａは、本発明の実施形態１にかかるアダプタ１の上方から見た斜視図である。図１Ｂはアダプタ１の下方から見た斜視図、図１Ｃはアダプタ１の下方から見た断面斜視図、図１Ｄは、アダプタ１の中心軸１ａ及び爪３０を含む面に沿ったアダプタ１の断面図である。以下の説明の便宜のため、中心軸１ａの方向を「上下方向」といい、中心軸１ａに直交する平面に平行な方向を「水平方向」という。アダプタ１の「上」及び「下」は、図１Ａ〜図１Ｄに示されたアダプタ１の向き（姿勢）に基づいて定義する。また、中心軸１ａに垂直に交差する直線の方向を「半径方向」といい、中心軸１ａの周りを回転する方向を「周方向」という。半径方向において、中心軸１ａに近い側を「内側」といい、中心軸１ａから遠い側を「外側」という。但し、「上下方向」、「上」、「下」、「水平方向」は、アダプタ１の実際の使用時の向きを意味するものではない。
【００１７】
アダプタ１は、中心軸１ａに沿って延びた穿刺針（オス部材）１０を備える。穿刺針１０は、その下端に鋭利な先端１０ｔを備える。穿刺針１０の内部には、液体（例えば薬液）が流れる流路１１が形成されている。流路１１は、穿刺針１０の先端１０ｔ近傍の外周面に設けられた開口１２に連通している。
【００１８】
図１Ｃ及び図１Ｄに示されているように、穿刺針１０の基端部１０ｂの近傍の部分を管状部１４が取り囲んでいる。管状部１４は、中空の円筒形状を有し、穿刺針１０と同軸に配置され、穿刺針１０から離間している。管状部１４の上端は、穿刺針１０の基端部１０ｂに接続されている。管状部１４の下端から天板１５が半径方向に沿って外向きに突出している。天板１５は、中心軸１ａと略垂直な平板である。図１Ａ、図１Ｂに示されているように、天板１５の外周端縁から４つのアーム２０が下方に向かって延びている。各アーム２０は、天板１５から下方に向かって延びた一対の弾性部２１と、一対の弾性部２１の下端をつなぐ架橋部２２とを含み、これらによって全体として略「Ｕ」字形状を有している。架橋部２２は、中心軸１ａに沿って見たとき中心軸１ａを中心とする円弧形状を有している。アーム２０と天板１５とで、これらに囲まれた略矩形の開口２３が形成され、当該開口２３を介してアーム２０より内側の穿刺針１０を見通すことができる。
【００１９】
本実施形態１では、穿刺針１０の基端部１０ｂと天板１５との間に管状部１４が介在しているが、本発明はこれに限定されない。例えば、管状部１４を省略し、天板１５の中央から穿刺針１０が下方に向かって突出していてもよい。弾性部２１は、中心軸１ａに平行に延びている必要はなく、例えば、弾性部２１は下方にいくにしたがって中心軸１ａから離れるように傾斜していてもよい。
【００２０】
４つのアーム２０が、穿刺針１０に対向し、穿刺針１０を取り囲んでいる。周方向に隣り合うアーム２０は、スリット２５を介して離間している。スリット２５は、中心軸１ａを含む面に沿って、天板１５にまで及んでいる。
【００２１】
アーム２０の先端部分を構成する架橋部２２に爪３０が設けられている。爪３０は、架橋部２２の穿刺針１０に対向する面から、穿刺針１０に向かって突出している。爪３０は、係止板３１と、係止板３１の下面に設けられたリブ３３とを含む。係止板３１は、略扇形状又は略三角形状を有する平板であって、天板１５に対向している。係止板３１は、中心軸１ａに近づくにしたがって天板１５に接近するように傾斜している。リブ３３は、中心軸１ａを含む面に沿って係止板３１の下面から下方（または中心軸１ａ）に向かって突出した薄板状の突起である。リブ３３は、爪３０の先端（または係止板３１の先端）３０ｔから架橋部２２まで延びている。図１Ｄに最もよく示されているように、中心軸１ａを含む面に沿ったリブ３３の下側の端縁（本発明ではこれを「摺動部」という）３３ａの輪郭形状は、円弧である。
【００２２】
アーム２０は、天板１５との接続部分を固定端とする片持ち支持構造を有している。アーム２０を構成する弾性部２１は、細い棒状の部材であり、比較的容易に弾性的に曲げ変形可能である。爪３０は、アーム２０の自由端に設けられている。従って、アーム２０は、爪３０が穿刺針１０から離れる向きに弾性的に変形することができる。アーム２０の変形は、弾性部２１が中心軸１ａを含む面にほぼ沿って曲げ変形することによって可能である。隣り合うアーム２０間にスリット２５が設けられているので、各アーム２０は互いに独立して変形することができる。
【００２３】
管状部１４の上方にコネクタ４０が設けられている。図１Ｃ、図１Ｄに示されているように、コネクタ４０は、略円筒形状を有する筒状部４１と、筒状部４１の上端に設けられた隔壁部材（「セプタム」と呼ばれることがある）４２と、隔壁部材４２にかぶせられたキャップ４３とを備える。筒状部４１内の内腔４１ａは、穿刺針１０内の流路１１と連通している。隔壁部材４２は、ゴム等の弾性材料からなり、円形の平面視形状を有する薄板である。隔壁部材４２の中央に、隔壁部材４２を上下方向に貫通する直線状のスリット（切り込み）４２ａが形成されている。筒状部４１の上端に隔壁部材４２を載置し、隔壁部材４２の上方からキャップ４３をかぶせる。筒状部４１の外周面から突出した係合突起４１ｐがキャップ４３の周囲壁を貫通する係合孔４３ｈ内に嵌入し、係合突起４１ｐと係合孔４３ｈの端縁とが係合する（図１Ｃ参照）。隔壁部材４２は筒状部４１とキャップ４３とにより上下方向に挟持される。隔壁部材４２のスリット４２ａは、キャップ４３の上面に形成された開口４３ａ内に露出する（図１Ａ参照）。隔壁部材４２のスリット４２ａに、鋭利な先端を有しない筒状のオスルアー（図示せず）を挿入すると、隔壁部材４２が弾性変形し、筒状部４１内の内腔４１ａとオスルアーとが連通する。オスルアーを隔壁部材４２から引き抜くと、隔壁部材４２は直ちに初期状態に復帰し、スリット４２ａは液密に閉じられる。このように、隔壁部材４２は、自閉式の弁体として機能する。このような自閉式のコネクタ４０は、「ニードルレスポート」とも呼ばれる。
【００２４】
アダプタ１の、隔壁部材４２及びキャップ４３を除く部分は、樹脂材料を射出成形することにより一部品として一体的に製造されることが好ましい。使用できる樹脂材料は、制限はないが、ポリエチレン、ポリプロピレン、ポリカーボネート、スチレンエチレン、ポリエチレンテレフタレート、ポリブチレンテレフタレート、ブチレンスチレンブロック共重合体などを例示することができるが、医療用に用いられることやアーム２０が弾性曲げ変形されることを考慮すると、ポリエチレン、ポリプロピレンなどのポリオレフィン系樹脂が好ましい。キャップ４３の材料は、制限はないが、硬質の材料であることが好ましく、例えば、ポリカーボネート、ポリプロピレン、ポリアセタール、ポリアミド、硬質ポリ塩化ビニル、ポリエチレン等の樹脂材料を用いることができる。隔壁部材４２の材料は、制限はないが、ゴム弾性を有する軟質の材料であることが好ましく、例えば、イソプレンゴム、シリコーンゴム、ブチルゴム等のゴム材料や、熱可塑性エラストマー等を用いることができる。
【００２５】
次に、以上のように構成された本実施形態１のアダプタ１の使用方法を説明する。ここでは、アダプタ１をバイアル瓶に接続する場合を例に説明する。
【００２６】
図２は、バイアル瓶８０の一例の断面図である。バイアル瓶８０は、瓶本体８１の上端の拡径したフランジ８２で囲まれた口（開口）８３に、フランジ８２と略同一外径を有する栓体（ゴム栓）８６を嵌入して当該口８３を気密及び液密に封止した密閉容器である。フランジ８２の外周面は、そのすぐ下の部分（くびれ部分）８４よりも大きな外径を有する略円筒面である。従って、フランジ８２とくびれ部分８４との間には、両者の外径差に基づく段差が形成されている。
【００２７】
栓体８６が瓶本体８１の口８３から脱落するのを防止するために、栓体８６及びフランジ８２にキャップ８８が装着されている。キャップ８８は、金属（例えばアルミニウム）、樹脂等のシートからなり、栓体８６及びフランジ８２に密着している。キャップ８８の下端は、フランジ８２の略円筒面である外周面よりも下側にまで及んでいる。キャップ８８の上端は、栓体８６の上面にまで及んでいる。栓体８６の上面の中央の領域は、キャップ８８に設けられた円形の開口８８ａを介して外界に露出している（後述する図３参照）。
【００２８】
栓体８６の外周面とフランジ８２の外周面とは、略同一直径の円筒面である。従って、栓体８６及びフランジ８２に装着されたキャップ８８の外周面８８ｃも略円筒面である。キャップ８８の外周面８８ｃの上端（または、キャップ８８の上面の外周端縁）を上側端縁８８ｂといい、また、当該外周面８８ｃの下端を下側端縁８８ｄという。
【００２９】
バイアル瓶８０はキャップ８８を備えていなくてもよい。その場合には、上側端縁８８ｂ、下側端縁８８ｄ、外周面８８ｃは、栓体８６又はフランジ８２の対応する箇所を意味する。
【００３０】
バイアル瓶８０内には、粉末状の薬剤（図示せず）が収容されている。
【００３１】
最初に、図３に示すように、アダプタ１をバイアル瓶８０の栓体（メスコネクタ）８６に対向させる。この状態から、アダプタ１を栓体８６に接近させる。
【００３２】
アダプタ１の爪３０の先端３３ｔでの内径は、バイアル瓶８０のキャップ８８の外径より小さい。従って、図４に示すように、穿刺針１０の先端１０ｔがキャップ８８の開口８８ａ内に露出した栓体８６に当接するのとほぼ同時にまたはこれに前後して、爪３０のリブ３３の摺動部３３ａがキャップ８８の上側端縁８８ｂに当接する。
【００３３】
アダプタ１をバイアル瓶８０に向かって押し込むと、図５に示すように、穿刺針１０が栓体８６に挿入され、これと並行して、爪３０の摺動部３３ａがキャップ８８の上側端縁８８ａ上を摺動する。摺動部３３ａは、上側端縁８８ａ上を摺動しながら、爪３０を半径方向に沿って穿刺針１０から離れる向き（外側）に移動させる。爪３０の移動は、アーム２０の弾性部２１が弾性的に曲げ変形することによって可能となる。この後、爪３０の先端３０ｔは、上側端縁８８ｂを通過し、続いて、キャップ８８の外周面８８ｃ上を下方に向かって摺動する。先端３０ｔが、キャップ８８の下側端縁８８ｄに達すると、弾性部２１は弾性回復して、爪３０がフランジ８２より下のくびれ部分８４に嵌入する。
【００３４】
かくして、図６に示すように、アダプタ１をバイアル瓶８０に接続することができる。
【００３５】
穿刺針１０が栓体８６を貫通し、穿刺針１０の先端近傍に形成された開口１２が栓体８６より下側で露出している。従って、穿刺針１０の流路１１とバイアル瓶８０の内腔とが連通する。
【００３６】
爪３０が、拡径したフランジ８２に係合している。従って、アダプタ１とバイアル瓶８０とを分離する向きの引っ張り力や振動がアダプタ１及びバイアル瓶８０に印加されても、穿刺針１０が栓体８６から意図せずに抜け落ちることはない。
【００３７】
本実施形態１のアダプタ１は、図１Ｄに示されているように爪３０の摺動部３３ａの、中心軸１ａに垂直な方向に沿って見た輪郭形状が円弧である点で、爪９３０の摺動部９３３ａの輪郭形状が直線である従来のアダプタ９００（図１２参照）と顕著に相違する。この相違点に起因して、本発明のアダプタ１は、従来のアダプタ９００に比べて、バイアル瓶８０に接続する際に必要な力を小さくすることができる。その理由を、以下に説明する。
【００３８】
図７Ａは、従来のアダプタ９００の爪９３０が、バイアル瓶８０のキャップ８８の上側端縁８８ｂに最初に当接した状態（本実施形態１の図４に相当する状態）を示した断面図である。図７Ａの断面は、穿刺針９１０を通る中心軸及び爪９３０の摺動部９３３ａを含む。図７Ａでは、図面を簡単化するために、アダプタ９００を構成する１つの爪９３０のみを示している。
【００３９】
この状態で、アダプタ９００にバイアル瓶８０に向かう下向きの力を印加する。このとき、爪９３０はキャップ８８の上側端縁８８ｂから反力Ｆを受ける。反力Ｆの向きは、摺動部９３３ａと上側端縁８８ｂとの接点での接線に垂直である。摺動部９３３ａの輪郭形状は直線であるから、反力Ｆの向きは摺動部９３３ａに対して垂直である。摺動部９３３ａは上下方向に対して傾斜しているから、反力Ｆの向きも上下方向に対して傾斜している。反力Ｆは、水平方向成分Ｆ１と上下方向成分Ｆ２とに分解することができる。水平方向成分Ｆ１は、アーム９２０を弾性曲げ変形させるのに寄与する。
【００４０】
アダプタ９００がバイアル瓶８０に向かって押し込まれるのにしたがって、アーム９２０は弾性的に曲げ変形し、爪９３０は上側端縁８８ｂ上を摺動しながら半径方向に沿って外側へ移動する。爪９３０は、半径方向に沿って移動するのにともなって、その姿勢（傾き）が変化する。図７Ｂは、爪９３０が半径方向の外側に移動した状態（本実施形態１の図５に相当する状態）を示した断面図である。図７Ａと比較すると、摺動部９３３ａの水平方向に対する傾きは小さくなっている。従って、爪９３０が上側端縁８８ｂから受ける反力Ｆの向きは上下方向に近づくように変化している。理解しやすいように、図７Ｂの反力Ｆを示す矢印の長さは図７Ａの反力Ｆのそれと一致させてある。図７Ａに比べて、図７Ｂでは、反力Ｆの水平方向成分Ｆ１は小さくなり、反力Ｆの上下方向成分Ｆ２は大きくなっている。即ち、上下方向成分Ｆ２に対する水平方向成分Ｆ１の比Ｆ１／Ｆ２が小さくなる。これは、アダプタ９００に加えられる下向きの力から、アーム９２０を弾性曲げ変形させるのに寄与する水平方向成分Ｆ１への変換の効率が低下していることが意味する。従って、図７Ａの状態に比べて、図７Ｂの状態では、爪９３０を半径方向の外側に更に移動させるために、アダプタ９００により大きな下向きの力を加える必要がある。このように、爪９３０が外側へ移動すればするほど、爪９３０を更に外側へ移動させるためにより大きな力をアダプタ９００に加える必要がある。このため、爪９３０を外側に移動させるのが徐々に困難になる。また、アダプタ９００に加える力が大きくなると反力Ｆが大きくなるので、摺動部９３３ａと上側端縁８８ｂとの間の摩擦力が大きくなる。これが、爪９３０を外側に移動させるのを更に困難にする。
【００４１】
また、キャップ８８の外径がより大きなバイアル瓶８０にアダプタ９００を接続する場合には、爪９３０を外側へ更に大きく移動させる必要がある。このため、比Ｆ１／Ｆ２が更に小さくなり、アダプタ９００により大きな力を加える必要がある。したがって、アダプタ９００を、外径が大きなキャップ８８を有するバイアル瓶８０に接続することは事実上困難であり、アダプタ９００を接続できるバイアル瓶８０のサイズの範囲が狭い。
【００４２】
図８Ａ、図８Ｂは、本実施形態１のアダプタ１において爪３０がキャップ８８から受ける反力Ｆを、図７Ａ、図７Ｂと同様に示した断面図である。図８Ａは、爪３０が、バイアル瓶８０のキャップ８８の上側端縁８８ｂに最初に当接した状態（図４の状態）を示した断面図である。図７Ａの場合と同様に、爪３０は上側端縁８８ｂから反力Ｆを受ける。反力Ｆは、水平方向成分Ｆ１と上下方向成分Ｆ２とに分解することができる。図８Ｂは、アダプタ１がバイアル瓶８０に向かって押し込まれた結果、爪３０が半径方向に沿って外側へ移動した状態（図５の状態）を示した断面図である。爪３０の姿勢（傾き）が変化している。また、反力Ｆの向きは、水平方向に近づくように変化している。図８Ａと比較すると、図８Ｂでは、反力Ｆの水平方向成分Ｆ１は大きくなり、反力Ｆの上下方向成分Ｆ２は小さくなっている。従来のアダプタ９００についての図７Ａから図７Ｂへの比Ｆ１／Ｆ２の変化とは逆に、本実施形態１では、比Ｆ１／Ｆ２が大きくなる。このため、本実施形態１では、爪３０がキャップ８８の上側端縁８８ｂ上を摺動しながら外側へ移動すればするほど、アダプタ１に加える力を弱めることが可能である。更に、これにより、摺動部３３ａと上側端縁８８ｂとの間の摩擦力が小さくなる。これは、アダプタ１に加える力を更に小さくするのに有利である。
【００４３】
また、キャップ８８の外径がより大きなバイアル瓶８０にアダプタ１を接続する場合には、爪３０を外側へ更に大きく変位させる必要がある。このため、比Ｆ１／Ｆ２は図８Ｂより更に大きくなり、アダプタ１に加える力は更に小さくてすむ。したがって、従来のアダプタ９００に比べて、本実施形態１のアダプタ１は、外径がより大きなキャップ８８を有するバイアル瓶８０にも接続することができる。したがって、接続できるバイアル瓶８０のサイズの範囲が広い。市場には様々なサイズのバイアル瓶が現に流通している。本実施形態１のアダプタ１を、バイアル瓶のサイズごとに複数種類用意する必要がない。
【００４４】
以上のように、本発明の爪３０の摺動部３３ａの輪郭形状は、従来のアダプタ９００の摺動部９３３ａと顕著に異なる。このため、本発明では、アダプタ１に加えられる下向きの力から、水平方向成分Ｆ１を、爪３０の半径方向における位置にかかわらず安定的に発生させることができる。また、アダプタ１に加える下向きの力に対抗する上下方向成分Ｆ２が過大になることはない。その結果、アダプタ１に大きな下向きの力を加えることなく、アダプタ１をバイアル瓶８０に接続することができるのである。
【００４５】
上記の実施形態１では、爪３０が外側に移動するのにしたがって比Ｆ１／Ｆ２が大きくなったが、本発明はこれに限定されない。爪３０が外側へ移動するのにしたがって、比Ｆ１／Ｆ２が小さくなってもよく、あるいは略一定であってもよい。好ましくは、比Ｆ１／Ｆ２は略一定又は大きくなる。
【００４６】
摺動部３３ａが上側端縁８８ｂ上を摺動しながら爪３０が外側へ移動する過程での比Ｆ１／Ｆ２の変化は、摺動部３３ａの輪郭形状に依存する。本実施形態１では、摺動部３３ａの輪郭形状は円弧であったが、本発明はこれに限定されない。一般に、摺動部３３ａの輪郭形状が滑らかな凸曲線を含むと、比Ｆ１／Ｆ２を高く維持することができ、バイアル瓶８０に接続するためにアダプタ１に加える力を小さくすることができる。例えば、摺動部３３ａの輪郭形状は、楕円の一部であってもよいし、曲率が半径方向の位置に応じて変化する任意の凸曲線であってもよい。摺動部３３ａの輪郭形状は、滑らかな凸曲線のみによって構成されることが好ましい。但し、摺動部３３ａの輪郭形状は、凸曲線と直線とを組み合わせてこれらを滑らかにつないだものであってもよい。凸曲線と直線とを組み合わせる場合、直線は凸曲線よりも半径方向の外側に配置されることが好ましい。なお、摺動部３３ａの輪郭形状は、その一部に凹曲線を含むことは好ましくない。凹曲線は、比Ｆ１／Ｆ２を急激に低下させることがあるからである。摺動部３３ａの輪郭形状は、アダプタ１をバイアル瓶８０に接続するためにアダプタ１に過大な力を加えなければならないような事態が生じないように、適宜設計される。
【００４７】
摺動部３３ａに設けられる上記の「滑らかな凸曲線」は、アーム２０が変形していない初期状態（図１Ｄ参照）において、中心軸１ａに近づくにしたがって水平方向に対する傾斜角度（即ち、摺動部３３ａに接する接線の傾き）が大きくなるような曲線であることが好ましい。この結果、摺動部３３ａの最も内側端（中心軸１ａに最も近い地点）は、摺動部３３ａの中で最も高い位置（最上位置）に位置する。爪３０の先端３０ｔは、摺動部３３ａの最上位位置に位置する。
【００４８】
爪３０の摺動部３３ａがキャップ８８の上側端縁８８ｂ上を摺動するときの摩擦力を低減する観点から、摺動部３３ａと上側端縁８８ｂとの接触面積は小さいことが好ましい。上記の実施形態１のように、摺動面３３ｂを、中心軸１ａを含む面に沿った薄板状のリブ３３上に設けることは、摺動部３３ａとキャップ８８との接触面積が小さくなり、両者間の摩擦力を小さくすることができるので、アダプタ１に加える力を更に小さくするのに有利である。
【００４９】
上記の実施形態１は例示に過ぎない。本発明は、上記の実施形態１に限定されず、適宜変更しうる。特に、爪３０の摺動部３３ａ以外の構成は、自由に変更することが可能である。
【００５０】
例えば、爪３０が設けられるアーム２０の形状は、任意に変更しうる。アームは、略「Ｕ」字形状を有している必要はない。また、アームと天板１５とで囲まれた開口２３が形成される必要はない。アームは、例えば、天板１５の外周端縁から穿刺針１０に対向するように下方に向かって延びた短冊形状（略「Ｉ」字形状）を有していてもよい。
【００５１】
アームの数は、４つに限定されず、４つより多くても、少なくてもよい。但し、アームの数は２以上であって、それらのアームが中心軸１ａに対して等角度間隔で配置されることが好ましい。
【００５２】
１つのアームに設けられる爪の数は、１つに限定されず、２つ以上であってもよい。
【００５３】
爪３０の係止板３１の傾きは任意である。係止板３１は、水平方向に対して傾斜している必要はなく、例えば水平方向と平行であってもよい。係止板３１を省略し、爪がリブ３３のみ（即ち、中心軸１ａを含む面に沿った板状物）で構成されてもよい。
【００５４】
（実施形態２）
本発明の実施形態２にかかるアダプタ２を、実施形態１のアダプタ１との相違点を中心に説明する。以下の説明で参酌する、アダプタ２を示した図において、実施形態１のアダプタ１を構成する部材と同じ部材には同一の符号を付して、それらについての説明を省略する。
【００５５】
図９Ａは、本発明の実施形態２にかかるアダプタ２の上方から見た斜視図である。図９Ｂはアダプタ２の下方から見た斜視図、図９Ｃはアダプタ２の側面図、図９Ｄはアダプタ２の下方から見た断面斜視図である。図９Ｄにおいて、二点鎖線２ａはアダプタ２の中心軸である。
【００５６】
図９Ｄに示されているように、穿刺針１０の基端部１０ｂに、管状部１４の上端が接続されている。管状部１４の下端に、天板２１５が設けられている。図９Ａから理解できるように、天板２１５は、水平方向に沿った薄板である。上方から見た天板２１５は、陸上競技のトラックとほぼ同じ平面視形状を有している。天板２１５の短軸方向に対向する２辺に２つのアーム２２０が設けられている。
【００５７】
アーム２２０は、半径方向にほぼ平行に延びた肩部２２１と、肩部２２１の遠位端（穿刺針１０から最も遠い端部）から下方に向かって延びた懸架部２２２とを備える。懸架部２２２は穿刺針１０に対向している。図９Ｃに示されているように、懸架部２２２は、その下端（即ち、先端）に近づくにしたがって穿刺針１０に近づくように傾斜している。
【００５８】
爪２３０が、穿刺針１０に向かって突出するように、懸架部２２２の先端に設けられている。爪２３０は、係止板２３１と、係止板２３１の下面に設けられた２枚のリブ２３３とを含む。係止板２３１は、懸架部２２２の先端から延びた板状物であって、中心軸２ａ（または穿刺針１０）に近づくにしたがって天板２１５に接近するように傾斜している。爪２３０の先端（または係止板２３１の先端）２３０ｔには、穿刺針１０と略同軸の円弧形状を有する凹部２３０ａが設けられている（図９Ａ参照）。リブ２３３は、係止板２３１の下面から下方に向かって突出した薄板状の突起である。リブ２３３は、係止板２３１のみならず、懸架部２２２の外側面にまで延びている。各リブ２３３は中心軸２ａを含む面に平行である。同じ爪２３０に設けられた２枚のリブ２３３は、離間して、互いに平行に対向して配置されている。図９Ｃに最もよく示されているように、リブ２３３は、略楔形状を有している。リブ２３３の下側（または穿刺針１０の側）を向いた端縁（本発明ではこれを「摺動部」という）２３３ａの輪郭形状は、円弧である。円弧形状を有する摺動部２３３ａが、爪２３０の先端２３０ｔから、リブ２３３の下端（即ち、略楔形状の先端）２３３ｂまで延びている。
【００５９】
アーム２２０は、天板２１５との接続部分を固定端とする片持ち支持構造を有している。アーム２２０を構成する肩部２２１は、薄板状の部材であり、比較的容易に弾性的に曲げ変形可能である。爪２３０は、アーム２２０の自由端に設けられている。従って、アーム２２０は、爪２３０が穿刺針１０から離れる向きに弾性的に変形することができる。アーム２２０の変形は、主として肩部２２１が中心軸２ａを含む面に沿って曲げ変形することによって可能である。本実施形態２では、懸架部２２２及び係止板２３１は、リブ２３３が設けられているので、実質的に変形しない。但し、本発明はこれに限定されず、例えばリブ２３３を係止板２３１のみに設けて、懸架部２２２も弾性的に曲げ変形可能に構成されてもよい。
【００６０】
図９Ｂに示されているように、突起２１６が、天板２１５の下面から下方に向かって突出している。突起２１６は、天板２１５の長軸方向に沿って延びている。
【００６１】
管状部１４の上方には、実施形態１と同様にコネクタ４０が設けられている。
【００６２】
本実施形態２のアダプタ２は、実施形態１と同様に、バイアル瓶８０（図２参照）に接続することができる。
【００６３】
最初に、図１０に示すように、アダプタ２をバイアル瓶８０の栓体（メスコネクタ）８６に対向させる。この状態から、アダプタ２を栓体８６に接近させる。
【００６４】
アダプタ２の爪２３０の先端２３３ｔでの内径は、バイアル瓶８０のキャップ８８の外径より小さい。従って、穿刺針１０の先端１０ｔがキャップ８８の開口８８ａ内に露出した栓体８６に当接するのとほぼ同時にまたはこれに前後して、爪２３０のリブ２３３の摺動部２３３ａがキャップ８８の上側端縁８８ｂに当接する。
【００６５】
アダプタ２をバイアル瓶８０に向かって押し込むと、穿刺針１０が栓体８６に挿入され、これと並行して、爪２３０の摺動部２３３ａがキャップ８８の上側端縁８８ａ上を摺動する。本実施形態２では、２本のアーム２２０のそれぞれに、２つのリブ２３３が離間して設けられている。従って、４つのリブ２３３に設けられた４つの摺動部２３３ａがキャップ８８の上側端縁８８ａ上を同時に摺動する。このため、アダプタ２がバイアル瓶８０に対して傾くことなく、アダプタ２をバイアル瓶８０に押し込むことができる。
【００６６】
摺動部２３３ａは、上側端縁８８ａ上を摺動しながら、爪２３０を半径方向に沿って穿刺針１０から離れる向き（外側）に移動させる。爪２３０の移動は、アーム２２０の肩部２２１が弾性的に曲げ変形することによって可能となる。
【００６７】
この後、爪２３０の先端２３０ｔは、上側端縁８８ｂを通過し、続いて、キャップ８８の外周面８８ｃ上を下方に向かって摺動する。先端２３０ｔが、キャップ８８の下側端縁８８ｄに達すると、肩部２２１は弾性回復して、爪２３０がフランジ８２より下のくびれ部分８４に嵌入する。
【００６８】
かくして、図１１Ａ及び図１１Ｂに示すように、アダプタ２をバイアル瓶８０に接続することができる。
【００６９】
図１１Ａに示されているように、爪２３０が、拡径したフランジ８２に係合している。従って、アダプタ２とバイアル瓶８０とを分離する向きの引っ張り力や振動がアダプタ２及びバイアル瓶８０に印加されても、穿刺針１０が栓体８６から意図せずに抜け落ちることはない。
【００７０】
爪２３０の凹部２３０ａ内に、バイアル瓶８０のくびれ部分８４が嵌入している。従って、本実施形態２のアダプタ２が有する爪２３０の数が２つのみであるにも関わらす、外力や振動が加えられてもアダプタ２がバイアル瓶８０に対して傾くことなく、アダプタ２をバイアル瓶８０に安定的に装着することができる。このため、穿刺針１０が傾くことによって、穿刺針１０と穿刺針１０が穿刺した栓体８６の孔との間に隙間が生じ、当該隙間を介してバイアル瓶８０内の薬剤が外界に漏れ出るという事態の発生を防止することができる。
【００７１】
突起２１６が、栓体８６の上面またはキャップ８８の上面に当接している。このため、アーム２２０、特にその肩部２２１が、栓体８６またはキャップ８８に衝突することによってアーム２２０が曲げ変形して、爪２３０とフランジ８２との係合が不安定になるという事態の発生を防止することができる。また、アダプタ２がバイアル瓶８０に対して傾くのを防止することもできる。
【００７２】
図１１Ｂに示されているように、穿刺針１０が栓体８６を貫通し、穿刺針１０の先端近傍に形成された開口１２が栓体８６より下側で露出している。従って、穿刺針１０の流路１１とバイアル瓶８０の内腔とが連通する。
【００７３】
中心軸２ａに垂直な方向（リブ２３３に垂直な方向）に沿って見た摺動部２３３ａの輪郭形状は、実施形態１のアダプタ１の摺動部３３ａ（図１Ｃ参照）と同様に、円弧である（図９Ｃ参照）。従って、実施形態１のアダプタ１と同様に、本実施形態２のアダプタ２も、従来のアダプタ９００に比べて、バイアル瓶８０に接続する際に必要な力を小さくすることができる。また、アダプタ２を接続することができるバイアル瓶８０のサイズの範囲が広い。
【００７４】
実施形態１で説明したのと同様に、本実施形態２においても、摺動部２３３ａの輪郭形状は、円弧に限定されず、一般に滑らかな凸曲線を含む形状であれば、上記の効果を奏することができる。
【００７５】
摺動部２３３ａが、薄板状のリブ２３３上に設けられている。これは、摺動部２３３ａとキャップ８８との接触面積を小さくし、両者間の摩擦力を小さくすることができるので、アダプタ２に加える力を更に小さくするのに有利である。
【００７６】
実施形態１のリブ３３は中心軸１ａを含む面に沿って設けられていたが、本実施形態２のリブ２３３は、中心軸２ａを含む面ではなく、当該面に平行な面に沿って設けられている。しかしながら、中心軸２ａを含む面からリブ２３３までの距離は極めて小さい。従って、本実施形態２は、リブに設けられた摺動部が奏する上記の効果に関して実施形態１と実質的に同じであると考えてよい。
【００７７】
上記の実施形態２は例示に過ぎない。本発明は、上記の実施形態２に限定されず、適宜変更しうる。特に、爪２３０の摺動部２３３ａ以外の構成は、自由に変更することが可能である。
【００７８】
例えば、爪２３０が設けられるアーム２２０の形状は、任意に変更しうる。アーム２２０を中心軸２ａに垂直な方向から見たとき（図９Ｃ参照）、肩部２２１及び懸架部２２２は、水平方向及び上下方向に対して任意の角度で傾斜していてもよい。アーム２２０は、肩部２２１と懸架部２２２とが屈曲部を介して接続された構成に限定されない。例えば、アーム全体が、滑らかな曲線に沿って湾曲していてもよい。実質的に変形しない天板２１５を水平方向に沿って肩部２２１の遠位端に相当する位置まで延長し、アームは、当該天板２１５の外周端縁から穿刺針１０に対向するように下方に向かって延びた短冊形状（略「Ｉ」字形状）の部材で構成されてもよい。この場合、当該短冊形状を有する部分が弾性的に曲げ変形する。
【００７９】
アームの数は、２つに限定されず、３つ以上であってもよい。但し、複数のアームは、中心軸１ａに対して等角度間隔で配置されることが好ましい。
【００８０】
１つのアームに設けられるリブ２３３の数は、２つに限定されず、１つ又は３つ以上であってもよい。
【００８１】
１つのアームに設けられる爪２３０の数は１つに限定されない。例えば、爪２３０（即ち、係止板２３１）をリブ２３３ごとに分割し、１つのアームにリブ２３３と同数の爪２３０が設けられていてもよい。
【００８２】
爪２３０の係止板２３１の傾きは任意である。水平方向に対して傾斜している必要はなく、例えば水平方向と平行であってもよい。係止板２３１を省略し、爪がリブ２３３のみ（即ち、中心軸１ａを含む面に平行な面に沿った板状物）で構成されてもよい。
【００８３】
爪２３０の先端２３０ｔに、凹部２３０ａを設けなくてもよい。
【００８４】
天板２１５の下面に設けられた突起２１６の構成（例えば、その形状、位置、数）は任意である。例えば、突起２１６は、半球面状の凸状物であってもよい。あるいは、中心軸２ａと同心の円に沿って配された、環状、円弧状、または、点状の突起であってもよい。突起２１６がアーム２２０（特にその肩部２２１）に設けられていてもよい。突起２１６を省略してもよい。
【００８５】
本実施形態２は、上記を除いて実施形態１と同じである。実施形態１の説明は、本実施形態２にも適用される。
【００８６】
上記の実施形態１，２では、アーム２０，２２０は、管状部１４及び天板１５，２１５を介して、穿刺針１０の基端部１０ｂに間接的に支持されていた。しかしながら、本発明はこれに限定されない。例えば、管状部１４を省略し、穿刺針１０の基端部１０ｂに天板１５，２１５を設けてもよい。この場合、アーム２０，２２０は天板１５，２１５を介して、穿刺針１０の基端部１０ｂに間接的に支持されることになる。あるいは、天板１５，２１５を省略し、管状部１４にアーム２０，２２０を設けてもよい。この場合、アーム２０，２２０は管状部１４を介して、穿刺針１０の基端部１０ｂに間接的に支持されることになる。あるいは、管状部１４及び天板１５，２１５を省略し、穿刺針１０の基端部１０ｂにアーム２０，２２０を設けてもよい。この場合、アーム２０，２２０は穿刺針１０の基端部１０ｂに直接的に支持されることになる。あるいは、管状部１４及び天板１５，２１５以外の別の部材が、穿刺針１０の基端部１０ｂとアーム２０，２２０との間に介在していてもよい。このように、本発明では、アームは、オス部材１０の基端部１０ｂに、間接的であるか直接的であるかを問わず、支持されていればよい。
【００８７】
アームの少なくとも一部が穿刺針１０に対向していればよく、アームの全ての部分が穿刺針１０に対向している必用はない。
【００８８】
アームの全体が弾性曲げ変形してもよく、アームの一部のみが弾性曲げ変形してもよい。アームのうち、弾性曲げ変形する部分は任意に設定しうる。
【００８９】
本発明において「摺動部」とは、アダプタをメスコネクタに接続する過程において、メスコネクタの所定箇所（上記の実施形態１，２では上側端縁８８ｂ）上を摺動する部分であって、メスコネクタの当該所定箇所上を摺動しながら、アームを曲げ変形させて爪を穿刺針から離間する向きに移動させることができるように構成された部分を意味する。従って、爪（またはリブ）のうち、アダプタをメスコネクタに接続する過程においてメスコネクタに接触することがない部分は、「摺動部」に該当せず、そのような部分の形状は任意に構成することができる。また、摺動部は所定の領域を有し、摺動部がメスコネクタの所定箇所上を摺動するとき、メスコネクタの所定箇所に接触する摺動部の箇所は、刻々と変化する。従って、摺動部の終端に、または摺動部の終端に隣接して設けられた爪の先端は、アダプタをメスコネクタに接続する過程において、メスコネクタの所定箇所に接触する箇所が刻々と変化するほどの領域を有していないから、一般に、本発明の「摺動部」に含まれない。「摺動部」は、爪の先端（爪のうち最もオス部材に接近した部分）に対して外側（即ち、オス部材とは反対側）に配置される。好ましくは、爪の先端は、摺動部の内側端（摺動部のうち最もオス部材に接近した箇所）と一致する。従って、摺動部は、好ましくは、爪の先端を始点として、外側に延びる。
【００９０】
本発明のアダプタが接続されるメスコネクタは、バイアル瓶８０に限定されない。バイアル瓶８０と同様に、ゴム栓で封止された口（開口）の周囲に、拡径したフランジが設けられた任意のメスコネクタに、本発明のアダプタを接続することができる。このようなメスコネクタは、例えば柔軟なチューブの一端に設けられていてもよく、若しくは薬液などを貯留する容器（形状保持性を有するボトル状の容器、形状保持性を有しない袋状の容器（バッグ）など）のポートに設けられていてもよい。あるいは、メスコネクタが、コネクタ４０と同様の、弾性の隔壁部材４２を備えた、いわゆるニードルレスポートであってもよい。
【００９１】
メスコネクタの種類に応じて、メスコネクタに挿入されるオス部材の構成を適宜変更しうる。
【００９２】
穿刺針１０内に、独立した２つの流路が形成されていてもよい。この場合、一方の流路はバイアル瓶８０との間で液体が流れる液体流路として利用できる。他方の流路は、バイアル瓶８０に対して液体が出入りするときにバイアル瓶８０内の圧力変動を低減するために、気体が流れる気体流路として利用することができる。
【００９３】
流路１１と連通した開口１２の数は、２つ以上であってもよい。
【００９４】
オス部材が、穿刺針１０ではなく、鋭利な先端を備えていない、いわゆる筒状のオスルアーを備えていてもよい。オスルアーは、メスコネクタがニードルレスポートである場合に好ましく採用しうる。
【００９５】
オス部材内の流路を流れる液体は、薬液であってもよいが、薬液以外の任意の液体であってもよい。
【００９６】
コネクタ４０の構成は、上記の実施形態１，２で示したニードルレスポートに限定されない。例えば、テーパ面を備えた公知のコネクタであってもよい。あるいは、コネクタ４０を設けることなく、輸液セットなどの柔軟なチューブが流路１１に連通するようにアダプタに直接接続されていてもよい。
【産業上の利用可能性】
【００９７】
本発明の利用分野に制限はなく、医療、食品、化学等の各分野で広範囲に利用することができるが、中でも医療分野において好適に利用することができる。特に、抗がん剤のような劇薬を出し入れするメスコネクタに接続されるアダプタとして好ましく利用することができる。
【符号の説明】
【００９８】
１，２  アダプタ
１ａ，２ａ  中心軸
１０  穿刺針（オス部材）
１０ｂ  穿刺針の基端部
２０，２２０  アーム
３０，２３０  爪
３３，２３３  リブ
３３ａ，２３３ａ  摺動部
８０  バイアル瓶
８２  フランジ
８６  栓体
【図１Ａ】
2016152801.tif 000003
【図１Ｂ】
2016152801.tif 000004
【図１Ｃ】
2016152801.tif 000005
【図１Ｄ】
2016152801.tif 000006
【図２】
2016152801.tif 000007
【図３】
2016152801.tif 000008
【図４】
2016152801.tif 000009
【図５】
2016152801.tif 000010
【図６】
2016152801.tif 000011
【図７】
2016152801.tif 000012
【図８】
2016152801.tif 000013
【図９Ａ】
2016152801.tif 000014
【図９Ｂ】
2016152801.tif 000015
【図９Ｃ】
2016152801.tif 000016
【図９Ｄ】
2016152801.tif 000017
【図１０】
2016152801.tif 000018
【図１１Ａ】
2016152801.tif 000019
【図１１Ｂ】
2016152801.tif 000020
【図１２】
2016152801.tif 000021
【国際調査報告】
2016152801.tif 000022
2016152801.tif 000023
2016152801.tif 000024
2016152801.tif 000025